【手続補正書】
【提出日】平成15年2月13日(2003.2.13)
【手続補正１】
【補正対象書類名】明細書
【補正対象項目名】特許請求の範囲
【補正方法】変更
【補正の内容】
【特許請求の範囲】
【請求項１】
一連のビットを表わす光学データ構造体を有する光学記憶媒体を認証する方法であって、前記方法は（ａ） 前記光学記憶媒体をあるローカスにおいて、そのようなローカスにおける光学的データ構造体によって表された前記一連の ビットに忠実なデータを得るように読取るステップ、 （ｂ） 得られたデータがそのようなローカスにおける光学的データ構造体によって表された一連のビット内の一つ以上のビットによって変わるかどうかを決めるために、そのようなローカスで光学記憶媒体を再読するステップおよび（ｃ） ステップ（ｂ）で得られたデータがステップ（ａ）において得られるデータと異なれば光学記憶媒体を認証するステップからなる光学記憶媒体認証方法。
【請求項２】
（ｂ）光学記憶媒体がステップ（ｃ）で認証されない場合、前記光学データ構造体またはそれの部分によって表される一連のビットの読取りを禁ずるステップを更に含む請求項１の方法。
【請求項３】
第２のローカスで光学記憶媒体を再読することを更に含む請求項１の方法。
【請求項４】
ステップ（ａ）において得られるデータは、光学記憶媒体に格納されたデータの意図された使用をできるようにするには不十分である信号を発生する請求項１の方法。
【請求項５】
ステップ（ｂ）で得られるデータは、 光学記憶媒体に格納されたデータの意図された使用を可能にするのに十分である 信号を発生する請求項４の方法。
【請求項６】
ステップ（ａ）において得られるデータは、ファイル割当てステートメントの少なくとも一部分から成る請求項１の方法。
【請求項７】
ローカスの再読取りは、約１秒のローカスの読み取りの範囲内で起こる請求項１の方法。
【請求項８】
ローカスの再読取りは、約１０ミリ秒のローカスの読み取りの範囲内で起こる請求項７の方法。
【請求項９】
ローカスの再読取りは、約１ミリ秒のローカスの読み取りの範囲内で起こる請求項８の方法。
【請求項１０】
光学記憶媒体に感光性化合物を与えるステップを更に含む請求項１の方法。
【請求項１１】
感光性化合物は、約８４８ナノメートル未満の放射波長を有する請求項１０の方法。
【請求項１２】
ローカスの再読取りは、感光性化合物からの信号を読み取ることを含む請求項１０の方法。
【請求項１３】
ローカスの光学通路の感光性化合物および光学検出器を与えること更に含む請求項１０の方法。
【請求項１４】
感光性化合物が光学式文字読取装置の検出器によって検出可能な波長の放射波長を有する請求項１０の方法。
【請求項１５】
感光性化合物は、感光性化合物のないときに、光学式文字読取装置の検出器によって検出される光を吸収する請求項１０の方法。
【請求項１６】
化合物からの光放射は、ステップ（ｂ）で得られたデータの少なくとも一部分を与える請求項１４の方法。
【請求項１７】
感光性化合物は、光学式文字読取装置にある光源によって放射される光によって励起可能である請求項１４の方法。
【請求項１８】
感光性化合物は、約７７０ナノメートルから約８３０ナノメートルまでの放射波長を有する請求項１０の方法。
【請求項１９】
感光性化合物は、約７８０ナノメートルの放射波長を有する請求項１８の方法。
【請求項２０】
感光性化合物は、約６３０ナノメートルから約６５０ナノメートルまでの放射波長を有する請求項１０の方法。
【請求項２１】
感光性化合物は、約５３０ナノメートルの放射波長を有する請求項１０の方法。
【請求項２２】
感光性化合物は、近赤外線範囲の放射波長を有する請求項１０の方法。
【請求項２３】
化合物が発光性である請求項１０の方法。
【請求項２４】
化合物が燐光性である請求項１０の方法。
【請求項２５】
化合物は、約７８０ナノメートル、もしくは、約５３０ナノメートルまたは両方の放射波長を有する請求項１０の方法。
【請求項２６】
光学記録媒体は、ＣＤ、ＣＤ−Ａｕｄｉｏ、ＣＤ−ＲＯＭ、ＣＤ−Ｇ、ＣＤ−ｉ、ＣＤ−ＭＯ、ＣＤ−Ｒ、ＣＤ−ＲＷ、ＤＶＤ、ＤＶＤ−５、ＤＶＤ−９、ＤＶＤ−１０、ＤＶＤ−１８、ＤＶＤ−ＲＯＭおよび任意の光学記録媒体からなるも群から選択される請求項１の方法。
【請求項２７】
化合物がシアニン化合物である請求項１０の方法。
【請求項２８】
化合物がインドダイカーボシアニン、ベンジンドダイカーボシアニンおよびそれらの混成物からなる群から選択される請求項１０の方法。
【請求項２９】
データ構造体を含む光学記憶媒体を認証する方法において、あるローカスにおけるデータ構造体から第１のセットの有効なデータを得るために前記ローカスで光学記憶媒体を読み込むステップ、および第２のセットの有効なデータを得るためにあるローカスにおける光学記憶媒体を再読するステップを備え、第２のセットの有効なデータは、前記ローカスの光学記憶媒体のデータ構造体に関係なく第１のセットの有効なデータと異なることを特徴とする光学記憶媒体認証方法。
【請求項３０】
ローカスでデータを得るために光学記憶媒体をローカスで読み取りまたは再読取りすることがデータ・ビットを得るためにローカスで光学記憶媒体を読み込むかまたは再読すること含む請求項２９の方法。
【請求項３１】
ローカスでデータを得るために光学記憶媒体をローカスで読み取りまたは再読取りすることがデータ・バイトを得るためにローカスで光学記憶媒体を読み込むかまたは再読することを含む請求項２９の方法。
【請求項３２】
ローカスでデータを得るために光学記憶媒体をローカスで読み取りまたは再読取りすることがデータフレームを得るためにローカスで光学記憶媒体を読み込むかまたは再読することを含む請求項２９の方法。
【請求項３３】
ローカスでデータを得るために光学記憶媒体をローカスで読み取りまたは再読取りすることがデータブロックを得るためにローカスで光学記憶媒体を読み込むかまたは再読することを含む請求項２９の方法。
【請求項３４】
ローカスでデータを得るために光学記憶媒体をローカスで読み取りまたは再読取りすることがデータセクタを得るためにローカスで光学記憶媒体を読み込むかまたは再読することを含む請求項２９の方法。
【請求項３５】
第２のローカスで光学記憶媒体を再読することを更に含む請求項２９の方法。
【請求項３６】
第１のデータセットは、光学記憶媒体に格納されたデータの意図された使用をできるようにするには不十分である信号を発生する請求項２９の方法。
【請求項３７】
第２の使用可能なデータセットは、光学記憶媒体に格納されたデータの意図された使用をできるようにするに適当である信号を発生する請求項２９の方法。
【請求項３８】
第２の使用可能なデータセットは、ファイル割当てステートメントの少なくとも一部分を含む請求項２９の方法。
【請求項３９】
ローカスでの再読取りがローカスでの読み取りの約１秒の範囲内で起こる請求項２９の方法。
【請求項４０】
ローカスでの再読取りがローカスでの読み取りの約１０ミリ秒の範囲内で起こる請求項２９の方法。
【請求項４１】
ローカスでの再読取りがローカスでの読み取りの約１ミリ秒の範囲内で起こる請求項２９の方法。
【請求項４２】
光学記憶媒体に感光性化合物を与えることを更に含請求項２９の方法。
【請求項４３】
ローカスの再読取りは、感光性化合物からの信号を読み込むことを含む請求項４２の方法。
【請求項４４】
ローカスおよび光学検出器の光学通路の感光性化合物を与えることを更に含む請求項４２の方法。
【請求項４５】
感光性化合物が光学式文字読取装置によって検出可能な波長の放射波長を有する請求項４２の方法。
【請求項４６】
感光性化合物が感光性化合物のないときに、光学式文字読取装置の検出器によって検出される光を吸収する請求項４２の方法。
【請求項４７】
前記感光性化合物からの光放射がステップ（ｂ）で得られるデータの少なくとも一部分を与える請求項４５の方法。
【請求項４８】
前記感光性化合物が光学式文字読取装置にある光源によって放射される光によって励起可能である請求項４５の方法。
【請求項４９】
前記感光性化合物が約７７０ナノメートルから約８３０ナノメートルまでの放射波長を有する請求項４２の方法。
【請求項５０】
前記感光性化合物が約７８０ナノメートルの放射波長を有する請求項４９の方法。
【請求項５１】
前記感光性化合物が約６３０ナノメートルから約６５０ナノメートルまでの放射波長を有する請求項４２の方法。
【請求項５２】
前記感光性化合物が約５３０ナノメートルの放射波長を有する請求項４２の方法
【請求項５３】
前記感光性化合物が近赤外線範囲の放射波長を有する請求項４２の方法。
【請求項５４】
前記感光性化合物が発光性である請求項４２の方法。
【請求項５５】
前記感光性化合物が燐光を出す請求項４２の方法。
【請求項５６】
前記化合物が約７８０ナノメートルまたは約５３０ナノメートルの波長で励起可能である請求項４２の方法。
【請求項５７】
前記化合物が約７８０ナノメートルもしくは約５３０ナノメートルまたは両方の放射波長を有する請求項１０の方法。
【請求項５８】
前記感光性化合物が約８４８ナノメートル未満の放射波長を有する請求項４２の方法。
【請求項５９】
前記感光性化合物が約７８０ナノメートルおよび約５３ナノメートルの放射波長を有する請求項４２の方法。
【請求項６０】
光学記録媒体は、ＣＤ、ＣＤ−Ａｕｄｉｏ、ＣＤ−ＲＯＭ、ＣＤ−Ｇ、ＣＤ−ｉ、ＣＤ−ＭＯ、ＣＤ−Ｒ、ＣＤ−ＲＷ、ＤＶＤ、ＤＶＤ−５、ＤＶＤ−９、ＤＶＤ−１０、ＤＶＤ−１８、ＤＶＤ−ＲＯＭおよび任意の光学記録媒体からなるも群から選択される請求項２９の方法。
【請求項６１】
光学記録媒体がＣＤである請求項６０の方法。
【請求項６２】
光学記録媒体がＣＤ―ＲＯＭである請求項６０の方法。
【請求項６３】
光学記録媒体がＤＶＤである請求項６０の方法。
【請求項６４】
感光性化合物がシアニン化合物である請求項４２の方法。
【請求項６５】
感光性化合物がインドダイカーボシアニン、ベンジンドダイカーボシアニンおよびそれらの混成物からなる群から選択される請求項４２の方法。
【請求項６６】
感光性化合物がインドダイカーボシアニンである請求項４２の方法。
【請求項６７】
感光性化合物がベンジンドダイカーボシアニンである請求項４２の方法。
【請求項６８】
感光性化合物がインドダイカーボシアニンとベンジンドダイカーボシアニンの混成物である請求項４２の方法。
【請求項６９】
データを含む第１の平面および感光性化合物を有する第２の平面を有する光学記憶媒体を認証する方法であって、前記光学記憶媒体上の第１の平面からデータを読み込むステップ、光学記憶媒体上の第２の平面の感光性化合物を励起するステップおよび光学記憶媒体の第２の平面からデータを読み込むステップを備える光学記憶媒体認証方法。
【請求項７０】
読取装置レーザーの焦点距離を変えるように命じることを含む 請求項６９の方法。
【請求項７１】
光学記憶媒体上の第１のセットの有効なデータを記録するステップ、感光性化合物が第１のセットの有効なデータと協同することができるように光学記憶媒体上の記憶位置で光学記憶媒体に感光性化合物を塗布するステップおよび感光性化合物の少なくとも一部分を選択的に活性化するステップを含み、活性化された状態で、感光性化合物によって、第１のセットのデータの読取りが可能になり、感光性化合物が励起に反応して第１のセットの有効なデータと異なる第２のセットの有効なデータを成生するようにした光学記憶媒体を処理する方法。
【請求項７２】
感光性化合物が架橋によって活性化される請求項７１の方法。
【請求項７３】
感光性化合物がレーザー活性化によって架橋される請求項７２の方法。
【請求項７４】
データを表わす一連の光学的変形を含む光学データ記憶媒体に記憶されたデータの不法な複写を思いとどまらせる方法であって、前記光学的変形に関してマップされた選択位置で前記光学的変形の物理的構造体を変えずに前記光学データ記憶媒体の表面または内部に一つ以上の物理的変化を導入するステップ、前記光学データ記憶媒体に記憶されたデータに前記マップされた位置で前記光学データ記憶媒体に前記物理的変化を認めるためおよび前記物理的変化が前記光学データ記憶媒体の表面または内部にある前記選択位置に現れるように決められるとき、前記光学データ記憶媒体に記憶された前記データの読取りを遂行するためのプログラム命令セットを組み入れるステップを含むことを特徴とする不法な複写を思いとどまらせる方法。
【請求項７５】
前記物理的変化は、前記光データ記憶媒体の表面または中に配置された感光性化合物を含む請求項７４の方法。
【請求項７６】
感光性化合物は、光吸収性の化合物である請求項７５の方法。
【請求項７７】
感光性化合物は、光放射性化合物である請求項７５の方法。
【請求項７８】
感光性化合物は、燐光を出す化合物である請求項７７の方法。
【請求項７９】
感光性化合物が光学式文字読取装置の検出器によって検出可能な波長の放射波長を有する請求項８４の方法。
【請求項８０】
感光性化合物は、感光性化合物のないときに、光学式文字読取装置の検出器によって検出される光を吸収する請求項７５の方法。
【請求項８１】
感光性化合物がシアニン化合物である請求項７５の方法。
【請求項８２】
感光性化合物がインドダイカーボシアニン、ベンジンドダイカーボシアニンおよびそれらの混成物からなる群から選択される請求項７５の方法。
【請求項８３】
光学的データ構造体の光学的データ記憶媒体に記憶されるデータの不法な複写を思いとどまらせる方法であって、
前記光学的データ記憶媒体の中または表面に、前記光学的データ構造体によって表された第１のデータ状態と前記光学的データ構造体に忠実でない第２のデータ状態の間で前記光学的データ構造体のデータ読取りを変えることができる材料を導入するステップ、および前記光学的データ記憶媒体に記憶されたデータに前記第１のデータ状態および前記第２のデータ状態を検出するためおよび、前記光学的データ記憶媒体が前記光学的データ記憶媒体のデータ読取り時に、前記第１のデータ状態および前記第２のデータ状態を表示するとき前記光学的データ記憶媒体に記憶された前記データの読取りを成し遂げるためのプログラム命令セットを組み入れるステップを備える不法な複写を思いとどまらせる方法。
【請求項８４】
前記材料が感光性化合物から成る請求項８３の方法。
【請求項８５】
感光性化合物が光吸収性の化合物である請求項８４の方法。
【請求項８６】
感光性化合物が光放射性化合物である請求項８４の方法。
【請求項８７】
感光性化合物が燐光性化合物である請求項８４の方法。
【請求項８８】
感光性化合物は、光学式文字読取装置の検出器によって検出可能な波長の放射波長を有する請求項８４の方法。
【請求項８９】
感光性化合物は、感光性化合物のないときに、光学式文字読取装置の検出器によって検出される光を吸収する請求項８４の方法。
【請求項９０】
感光性化合物がシアニン化合物である請求項８４の方法。
【請求項９１】
感光性化合物がインドダイカーボシアニン、ベンジンドダイカーボシアニンおよびそれらの混成物からなる群から選択される請求項８４の方法。
【請求項９２】
一連のビットを表している光学的データ構造体の光学データ記憶媒体に記憶されたデータの不法な複写を思いとどまらせる方法であって、（ａ） 光学記憶媒体のある一つのローカスを読取ってそのようなローカスにおける光学的データ構造体によって表された一連のビットに忠実なデータを得るステップ（ｂ） 得られたデータがそのようなローカスにおける光学的データ構造体によって表された一連のビットの中の一つ以上によって変わるかどうかを決めるためにそのローカスにおいて前記光学記憶媒体を再読するステップおよび（ｃ） ステップ（ｂ）で得られたデータがステップ（ａ）において得られたものと異なる場合は、光学記憶媒体の複写を思いとどまらせるステップを備える不法な複写を思いとどまらせる方法。
【請求項９３】
一連のビットを表している光学的データ構造体の全部または一部のデータを記憶するコンピュータ可読の媒体であって、
前記コンピュータ可読光学データ記憶媒体は、コンピュータ・システムを前記コンピュータ可読媒体の読取りを可能にするように（ｂ） 前記光学的データ構造体によって表された一連のビットに忠実な前記光学記憶媒体データを一つのローカスで検出するステップ（ｅ） そのようなローカスにおける光学的データ構造体によって表された一連のビットの一つ以上のビットによって変わっている前記光学記憶媒体データを前記ローカスで検出するステップ（ｆ） ステップ（ｂ）で得られたデータがステップ（ａ）におけるデータと異なるとき、前記光学記憶媒体の読取りを可能にするステップによって制御する命令を含んでいるコンピュータ可読光学データ記憶媒体。
【請求項９４】
光学的データ構造体の形で具体化されたコンピュータ可読プログラム・コードを備えるコンピュータによって使用可能な媒体を備え、前記光学的データ構造体において具体化されない光学的非均一性の一つ以上のサイトをその中に備え、光学的非一様性の前記サイトは、コンピュータの正規の複写機能を妨げている前記コンピュータによって使用可能な媒体内にある光学的非均一性の前記サイトがあるときだけ、前記コンピュータ可読プログラム・コードが前記コンピュータに前記光学的データ構造体またはその一部分を読み取らせるコンピュータ可読なプログラム・コードを備えている製作物。
【請求項９５】
光学的非均一性の前記サイトは、感光性化合物から成る請求項９４の製作物。
【請求項９６】
感光性化合物が光吸収性化合物である請求項９５の製作物。
【請求項９７】
感光性化合物が光放射性化合物である請求項９５の製作物。
【請求項９８】
感光性化合物が燐光性化合物である請求項９７の製作物。
【請求項９９】
感光性化合物が光学式文字読取装置の検出器によって検出可能な波長の放射波長を有する請求項９５の製作物。
【請求項１００】
感光性化合物は、感光性化合物のないとき、光学式文字読取装置の検出器によって検出される光を吸収する請求項９５の製作物。
【請求項１０１】
感光性化合物がシアニン化合物である請求項９５の製作物。
【請求項１０２】
感光性化合物がインドダイカーボシアニン、ベンジンドダイカーボシアニンおよびそれらの混成物からなる群から選択される請求項９５の製作物。
【請求項１０３】
読取装置で読取り可能なデータ記憶媒体であって、基板、基板上にあって、複数のデータ・ビットを表わす光学的データ構造体、および少なくとも第１の光学的状態と第２の光学的状態に存在することができ、第１の光学的状態は入力信号に曝されると第２の光学的状態に変換可能である材料を備え、第２の光学的状態はしばらくして第１の光学的状態に自発的に変換可能であり、前記材料は、光学的構造体に関してデータ記憶媒体に沿って一つ以上の離散的なローカスに置かれ、データ記憶媒体があるローカスで最初に読取られて、前記材料がそれの第１の光学的状態のあるとき、ビットデータ読取りは、そのようなローカスでの光学的データ構造体に忠実であり、一方、記憶媒体がそのローカスで再読され、前記材料がそれの第２の状態にあるきデータ・ビット読取りは、そのローカスでの光学的データ構造体に忠実なものから一つ以上のビットだけ変わるようにしてあることを特徴とする読取装置で読取り可能なデータ記憶媒体。
【請求項１０４】
データ記憶媒体が、最初に読み取られるとき得られたデータは、媒体に記憶されたデータの意図された使用をできるようにするのに不適当である信号を生じる請求項１０３のデータ記憶媒体。
【請求項１０５】
データ記憶媒体が、再読み取されるとき得られたデータは、媒体に記憶されたデータの意図された使用を可能にするのに適当である信号を生じる請求項１０４のデータ記憶媒体。
【請求項１０６】
データ記憶媒体が最初に読み取られるときに得られたデータはファイル割当てステートメントの少なくとも一部分を含む請求項１０３のデータ記憶媒体。
【請求項１０７】
前記材料が感光性化合物である請求項１０３のデータ記憶媒体。
【請求項１０８】
感光性化合物が約８４８ナノメートル未満の放射波長を有する請求項１０７のデータ記憶媒体。
【請求項１０９】
感光性化合物が読取装置によって検出可能な波長の放射波長を有する請求項１０７のデータ記憶媒体。
【請求項１１０】
感光性化合物が感光性化合物のないときに読取装置によって検出される光を吸収する請求項１０７のデータ記憶媒体。
【請求項１１１】
化合物からの光放射は、データ記憶媒体が再読取りされるときに得られたデータの少なくとも一部分を与える請求項１０７のデータ記憶媒体。
【請求項１１２】
感光性化合物は、読取装置の光源によって放射される光によって励起可能である請求項１０７のデータ記憶媒体。
【請求項１１３】
感光性化合物が約７７０ナノメートルから約８３０ナノメートルまでの放射波長を有する請求項１０７のデータ記憶媒体。
【請求項１１４】
感光性化合物が約７８０ナノメートルの放射波長を有する請求項１１３のデータ記憶媒体。
【請求項１０６】
データ記憶媒体が最初に読み取られたときに得られたデータがファイル割当てステートメントの少なくとも一部分を含む請求項１０３のデータ記憶媒体。
【請求項１０７】
前記材料が感光性化合物である請求項１０３のデータ記憶媒体。
【請求項１０８】
感光性化合物が約８４８ナノメートル未満の放射波長を有する請求項１０７のデータ記憶媒体。
【請求項１０９】
感光性化合物が読取装置によって検出可能な波長の放射波長を有する請求項１０７のデータ記憶媒体。
【請求項１１０】
感光性化合物が感光性化合物のないとき、読取装置によって検出される光を吸収す請求項１０７のデータ記憶媒体。
【請求項１１１】
化合物からの光放射はデータ記憶媒体が再読取りされるときに得られたデータの少なくとも一部分を与える請求項１０７のデータ記憶媒体。
【請求項１１２】
感光性化合物が読取装置の光源によって放射される光によって励起可能である請求項１０７のデータ記憶媒体。
【請求項１１３】
感光性化合物が約７７０ナノメートルから約８３０ナノメートルまでの放射波長を有する請求項１０７のデータ記憶媒体。
【請求項１１４】
感光性化合物が約７８０ナノメートルの放射波長を有す請求項１１３のデータ記憶媒体。
【請求項１１５】
感光性化合物が約６３０ナノメートルから約６５０ナノメートルまでの放射波長を有する請求項１０７のデータ記憶媒体。
【請求項１１６】
感光性化合物が約５３０ナノメートルの放射波長を有する請求項１０７のデータ記憶媒体。
【請求項１１７】
感光性化合物が近い赤外線範囲の放射波長を有請求項１０７のデータ記憶媒体。
【請求項１１８】
化合物が発光性である請求項１０７のデータ記憶媒体。
【請求項１１９】
感光性化合物が燐光性である請求項１０７のデータ記憶媒体。
【請求項１２０】
感光性化合物が約７８０ナノメートル若しくは約５３０ナノメートルまたは両方の放射波長を有する。
【請求項１２１】
光学記録媒体は、ＣＤ、ＣＤ−Ａｕｄｉｏ、ＣＤ−ＲＯＭ、ＣＤ−Ｇ、ＣＤ−ｉ、ＣＤ−ＭＯＣＤＲ（ＣＤ−ＲＷ）ＤＶＤ、ＤＶＤ−５、ＤＶＤ−９、ＤＶＤ−１０、ＤＶＤ−１８、ＤＶＤ−ＲＯＭおよび任意の光学記憶媒体からなるグループから選択される請求項１０３のデータ記憶媒体。
【請求項１２２】
化合物がシアニン化合物である請求項１０７のデータ記憶媒体。
【請求項１２３】
感光性化合物がインドダイカーボシアニン、ベンジンドダイカーボシアニンおよびそれらの混成物からなる群から選択される請求項１０７のデータ記憶媒体。
【請求項１２４】
光学文字読取装置によってデジタルデータ・ビットとして読取り可能な一つ以上の情報ピットおよびランドを表面に有する基板、
一つ以上の前記情報ピットおよびランドの上方、下方、中または上に配置された光−放射性化合物を備え、前記光−放射性化合物は、前記化合物が光を放出しているとき、前記光学文字読取装置のビット読取りに影響を及ぼすが、前記化合物が光を放出していないとき、前記光学文字読取装置のビット読取りに影響を及ぼさないように配置されていることを特徴とする光ディスク。
【請求項１２５】
光放射化合物が読取装置によって検出可能な波長の放射波長を有する請求項１２４の方法。
【請求項１２６】
光放射化合物からの光放射がディスクが読み取られるときに得られたデータの少なくとも一部分を与える請求項１２４の方法。
【請求項１２７】
光放射化合物が読取装置の光源によって放射される光によって励起可能である請求項１２４の方法。
【請求項１２８】
光学記録媒体は、ＣＤ、ＣＤ−Ａｕｄｉｏ、ＣＤ−ＲＯＭ、ＣＤ−Ｇ、ＣＤ−ｉ、ＣＤ−ＭＯＣＤＲ（ＣＤ−ＲＷ）ＤＶＤ、ＤＶＤ−５、ＤＶＤ−９、ＤＶＤ−１０、ＤＶＤ−１８、ＤＶＤ−ＲＯＭおよび任意の光学記憶媒体からなるグループから選択される請求項１２４の方法。
【請求項１２９】
基板、基板に配置され、第１のセットの有効なデータを備えるデータ・トラック、および前記ディスクの少なくとも一部に配置され、前記データ・トラックの少なくとも一部分と協働する感光性化合物を備え、前記感光性化合物がデータ・トラック内の第１のセットの有効なデータに関係なく、第１のセットの有効なデータと異なる第２のセットの有効なデータを生成するように適当なスティミュラスによって励起可能であることを特徴とする光ディスク。
【請求項１３０】
感光性化合物の少なくとも一部は、約８４８ナノメートル未満の波長を発するように構成されている請求項１２９のディスク。
【請求項１３１】
データ・トラックが射出成形される請求項１２９のディスク。
【請求項１３２】
データ・トラックが記録染料によって形成される請求項１２９のディスク。
【請求項１３３】
感光性化合物の少なくとも一部は活性である請求項１２９のディスク。
【請求項１３４】
感光性化合物の少なくとも一部は燐光性である請求項１２９のディスク。
【請求項１３５】
感光性化合物の少なくとも一部は蛍光性である請求項１２９のディスク。
【請求項１３６】
感光性化合物の少なくとも一部は、約７７０と約８３０ナノメートルの間の波長で光を発する光源によって励起可能である請求項１２９のディスク。
【請求項１３７】
感光性化合物の少なくとも一部は、約６３０と約６５０ナノメートルの間の波長で光を発する光源によって励起可能である請求項１２９のディスク。
【請求項１３８】
感光性化合物の少なくとも一部は、約７８０ナノメートルの波長で光を発する光源および約８３０ナノメートルの波長で光を発する光源によって励起可能である請求項１２９のディスク。
【請求項１３９】
感光性化合物の少なくとも一部は、７８０ナノメートルで発光するように構成されている請求項１２９のディスク。
【請求項１４０】
感光性化合物の少なくとも一部は、５３０ナノメートルで発光するように構成されている請求項１２９のディスク。
【請求項１４１】
感光性化合物の少なくとも一部は、約７８０ナノメートルおよび約５３０ナノメートルで発光するように構成されている請求項１２９のディスク。
【請求項１４２】
感光性化合物がシアニン化合物から成る請求項１２９のディスク。
【請求項１４３】
感光性化合物がインドダイカーボシアニンから成る請求項１２９のディスク。
【請求項１４４】
感光性化合物がベンジンドダイカーボシアニンから成る請求項１２９のディスク。
【請求項１４５】
軽い感光性化合物がインドダイカーボシアニンとベンジンドダイカーボシアニンの混成物である請求項１２９のディスク。
【請求項１４６】
感光性化合物の一部は、選択的に活性化されるように構成されている請求項１２９のディスク。
【請求項１４７】
感光性化合物が厚さ約１６０ナノメートル未満である請求項１２９のディスク。
【請求項１４８】
感光性化合物が架橋によって活性化される請求項１２９のディスク。
【請求項１４９】
感光性化合物がレーザ活性化によって活性化される請求項１２９のディスク。
【請求項１５０】
感光性化合物が ファイル割当てステートメントの少なくとも一部を与えるように活性化される 請求項１２９のディスク。
【請求項１５１】
データ・トラックがディスク上のローカスを再読せよとの命令を含む請求項１２９のディスク。
【請求項１５２】
活性化感光性化合物が前記ローカスの少なくとも一部の下に配置される請求項１２９のディスク。
【請求項１５３】
活性化感光性化合物が前記ローカスの少なくとも一部の上に配置される請求項１５２のディスク。
【請求項１５４】
活性化感光性化合物が遅延発光性または燐光性の化合物である請求項１５２のディスク。
【請求項１５５】
活性化感光性化合物は、読取装置によって解釈可能で、データ・トラックによって与えられるものと異なる応答を与える請求項１５２のディスク。
【請求項１５６】
データ・トラックは、異なる使用可能なデータの第１および第２のセットに基づいてディスク上のデータに接近し続けるための命令を含む請求項１２９のディスク。
【請求項１５７】
感光性化合物は、スピン塗装によってディスクに配置されている請求項１２９のディスク。
【請求項１５８】
感光性化合物が厚さ約１２０ナノメートル未満である請求項１２９のディスク。
【請求項１５９】
感光性化合物が厚さ約１０ナノメートル未満である請求項１２９のディスク。。
【請求項１６０】
感光性化合物が厚さ約１ナノメートル未満である請求項１２９のディスク。
【請求項１６１】
第１の組のデータを有するデータ構造体および第１の組のデータを有する光学記録媒体の少なくとも一部を再読する時に、第１の組のデータを有するデータ構造体に関係なく第１の組のデータと異なる第２の組のデータを生成する手段を備える光学記録媒体。
【請求項１６２】
データの第２のセットが一時的である請求項１６１の光学記録媒体。
【請求項１６３】
第１の組の有効なデータを表しているピットおよびランドの中の少なくとも一方で形成されるデータ・トラックを備え、
データ・トラックの出力の少なくとも一部は、データ・トラックの形成に関係なく第１の組の有効なデータと異なる第２の組の有効なデータを生成するために再読するときに予想通りに変更されることを特徴とする光学記録媒体。
【請求項１６４】
第２の組のデータが一時的である請求項１６３の記録媒体。
【請求項１６５】
媒体がＣＤから成る請求項１６３の光学記録媒体。
【請求項１６６】
媒体がＤＶＤから成る請求項１６３の光学記録媒体。
【請求項１６７】
感光性化合物を更に含む請求項１６３の光学記録媒体。
【請求項１６８】
第１の組のデータを有するデータ構造体および第１の組のデータを有する光学記録媒体の少なくとも一部を再読する時に、第１の組のデータを有するデータ構造体に関係なく、データの第１の組と異なる第２の組のデータを生成する手段を備えることを特徴とする光学記録媒体。
【請求項１６９】
前記材料が感光性材料である請求項１６８のデータ記憶媒体。
【請求項１７０】
前記第２の状態は、データ構造体でサポートされるデータの読み取りが影響を受ける状態である請求項１６８のデータ記憶媒体。
【請求項１７１】
前記入力信号が電磁放射である請求項１６８のデータ記憶媒体。
【請求項１７２】
データ記憶媒体が光ディスク基板である請求項１６８のデータ記憶媒体。
【請求項１７３】
前記材料がシアニン染料である請求項１６８のデータ記憶媒体。
【請求項１７４】
前記材料は、約１ミリ秒を超える前記電磁放射の吸収の後、ある遅延時間を有する請求項１６８のデータ記憶媒体。
【請求項１７５】
前記遅延時間がデータ構造体によってサポートされるデータを過サンプリングを用いて読み取るのに必要な時間より少ない請求項１７４の記憶媒体。
【請求項１７６】
前記遅延時間がデータ構造体によってサポートされるデータを過サンプリング用いて読み取るのに必要な時間より大きい請求項１７４の記憶媒体。
【請求項１７７】
前記材料は、前記材料が前記第１の状態に変化する前に前記第２の状態のままである１ナノ秒を超える残光を有する請求項１６８の記憶媒体。
【請求項１７８】
前記材料は、前記データ構造体の一つ以上の離散的な領域の中または上に配置されている請求項１６８の記憶媒体。
【請求項１７９】
前記データ構造体が複数のピットとランドを備えるとき、前記離散的な領域は、前記データ構造体の各ピットおよび／または各ランドより少ないピットとランドを備えている請求項１７８の記憶媒体。
【請求項１８０】
前記離散的な領域の少なくとも一つは、ある遅延時間と残光を有する材料から成り、前記材料が前記第１の光学状態にあるかまたは前記第２の光学状態にあるかどうかに従って、離散的な領域が前記離散的な領域における前記データ構造体の二つの異なるデータを前記光学式文字読取装置に示すようにしている請求項１７８の記憶媒体。
【請求項１８１】
前記二つの異なるデータ読みおよび／またはそれらのデータ読みの間の遷移を、前記データ構造体を認証するため、前記データ構造体によってサポートされるデータを解読するため、前記データ構造体から読み取られるデータを修正するため、および前記データ構造体から複製されたデータにウォーターマークを与えるためのうちの少なくとも一つに使用できる請求項１６８の記憶媒体。
【請求項１８２】
前記材料は、一時的のものであって、前記材料が前記電磁放射に曝されるある長さまたは回数の時間の後、前記材料が前記第１および第２の光学状態のうちの一方において検出できないようなものである請求項１６８の記憶媒体。
【請求項１８３】
前記材料は、データ記憶媒体の異なるローカスで異なる深さに配置されている請求項１６８の記憶媒体。
【請求項１８４】
前記材料は、前記光学構造体によってサポートされたデータへの無許可のアクセスを予防するのに用いられる請求項１６８の記憶媒体。
【請求項１８５】
前記光学構造体は、自由にアクセスできるデータをサポートし、前記材料が検出される場合だけアクセスされることができるデータをサポートする両方を行う請求項１８４の記憶媒体。
【請求項１８６】
基板、データを記録でき、データを読取装置によって読取りできる前記基板上の記録部分、および前記記録部分とは別の前記基板上の表面または中にある認証材料を備え、前記認証材料は、記録部分にあるデータに関係なく、二つの異なった点で読取装置によって読取られうる時間−遅延で再生可能な変化応答を与えることができるような特性のものであって、そのように前記記録部分に関して位置決めされることを特徴とする光学記録媒体。
【請求項１８７】
認証材料は、前記記録データの前記読取装置による読み取りに影響を及ぼすように少なくとも二つの状態の間で変えられるのに適している感光材料であり、前記材料は、第１の状態から第２の状態へ変るために入力信号を必要とする請求項１８６の光学記録媒体。
【請求項１８８】
基板、光学式文字読取装置によって読取り可能で、前記光学文字読取装置に連結されたプロセッサによって解釈可能なデータを記録するための前記基板上のデータ記録層および前記基板の少なくとも一部分に配置されている一時的な材料を備え、前記一時的な材料は、前記光学文字読取装置によって読取り可能でかつ、単独でまたは、前記データ記録層上のその他のデータと組み合わせて、前記プロセッサよって解釈可能なデータを与え、前記データ記録層の少なくとも一部分へ読取アクセスができるようにし、さもなければ前記光学読取装置にアクセスできず、および／またはそれによって読取りできなくするというような特性のものであり、前記光学記録媒体の内部にそうなるように位置決めされることを特徴とする光学記録媒体。
【請求項１８９】
一時的な材料が分解性である請求項１８８の光学記録媒体。
【請求項１９０】
一時的な材料が光源に曝すことによって分解できる請求項１８９の光学記録媒体。
【請求項１９１】
一時的な材料は、前記データ記録層の少なくとも一部が前記光学式読取装置にアクセスできない程度まで分解される請求項１８９の光学記録媒体。
【請求項１９２】
光学的に記憶されて光学式文字読取装置によって読取り可能なデータを有する光学的記憶媒体の真正を証明する方法において、
第１の読取りのときに第１の応答をおよび第２の読取りのときに前記第１の応答と異なる第２の応答を表示する光学媒体上の少なくとも一つのローカスを前記光学式文字読取装置で読取るステップおよび第１および第２の応答が異なる場合、光学的媒体が真正であると決めるステップを備える光学的記憶媒体の真正を証明する方法。
【請求項１９３】
少なくとも一つのローカスを決定するのに用いられる識別ストリングを入力するステップを更に含む請求項１９２の方法。。
【請求項１９４】
第２の反応は、前記第１の反応から独立している請求項１９２の方法。
【請求項１９５】
少なくとも一つのローカスを読取るステップは、媒体上の複数のローカスを指定された順序で読取ることから成る請求項１９２の方法。
【請求項１９６】
データが光学式読取装置によって光学的に読取可能な構造体で記憶されるか、またはされる可能性のある、データ記憶媒体に印をつける方法であって、前記データ記憶媒体の少なくとも一つの部分の表面または中に約７００〜約９００ｎｍの波長によって励起可能な遅延発光する化合物を含む認証材料を設置するステップを備える前記方法。
【請求項１９７】
認証材料は、データ記憶媒体の上または中にあるパターンで取り付けられる請求項１９６の方法。
【請求項１９８】
認証材料はデータが光学的に読取り可能な構造体で記録されたあとで基板に固定される請求項１９６の方法。
【請求項１９９】
依頼人に送信されるべきデータの要求を受けるステップ、データが記録されることになっている記憶媒体上の材料のパターンの表示を受けるステップ、データが材料のパターンの表示に基づいて送信されるように調整するステップおよび依頼人に調整されたデータを送信するステップを備えるデータを送信する方法。
【請求項２００】
前記記憶媒体上の前記パターンから成っている前記材料は、構造体の読み取りに影響を及ぼすように少なくとも二つの状態の間で変えられるように適合されている請求項１９９の方法。
【請求項２０１】
データを調整する前記ステップは、データが材料の前記パターンを有する前記記憶媒体に記憶されない限り、調整されたデータをそれの意図された目的のために用いることができないようにデータを調整することを含む請求項１９９の方法。
【請求項２０２】
データは、ＤＶＤ映画、オーディオ・ファイルおよびソフトウェアの中の少なくとも一つを含む請求項１９９の方法。
【請求項２０３】
データを調整するステップは、調整されたデータが前記依頼人によって入手可能なプログラム命令セットによって訂正可能である先天エラーを含むような方法でデータを調整することを含み、前記プログラム命令セットは記憶媒体上の材料パターンの検出時に作動可能である請求項１９９の方法。
【請求項２０４】
ソースから目標への第１の組のデータを送るステップ
および光学記憶媒体上に第２の組のデータを与えるステップを備え、前記２の組のデータは、それの意図された目的のために前記第１の組のデータの使用を必要とし、前記２の組のデータは、光学媒体上の少なくとも一つの感光性材料のパターンを固定することによって少なくとも一部分記録されることを特徴とする保護データへアクセスする方法、。
【請求項２０５】
少なくとも一つの感光材料は、記憶媒体に特有であるパターンで固定される請求項２０４の方法。
【請求項２０６】
データを含んでいる基板および感光性材料のパターンを備えているデータと関連する認証マークを備え、前記感光性材料は、少なくとも二つの状態の間で変えられるのに適していて、光学記録媒体の中または表面にデータの読取りに影響を及ぼすためなどに配置されていることを特徴とする光学記録媒体。
【請求項２０７】
目標からデータ転送の要請をソースで受けるステップおよび前記ソースから前記目標へ前記目標によって要求された前記データの暗号化データ組を転送するステップを備え、暗号化データ組は、データが記憶される光学記憶媒体の中または表面にある認証材料パターンに少なくとも部分的に基づいている暗号化キーに従って暗号化されることを特徴とするデータ暗号化の方法。
【請求項２０８】
データが光学的に読取られるようにデータをサポートするのに適合している構造体および前記構造体の中または表面に配置された材料を備え、前記材料は、少なくとも二つの状態の間で変えられるのに適合していて、前記構造体に関して光学式文字読取装置によって前記データの読取りに影響を及ぼすように位置決めされ、かつ前記材料は、第１の状態から第２の状態へ変わるために入力信号を必要とし、前記第２の状態から前記第１の状態へ変わるためには入力信号を必要としないことを特徴とするデータ記憶媒体。
【請求項２０９】
前記材料が前記第２の状態にあるとき、読取り可能なデータが生成される請求項２０８の記憶媒体。
【請求項２１０】
前記材料は、ある長さの時間または 前記光学式読取装置によるある回数の読取りの後は、読み取り可能なデータを材料によって生成できないように一時的なものである請求項２０９の記憶媒体。
【請求項２１１】
前記材料が感光材料である請求項２０８の記憶媒体。
【請求項２１２】
前記入力信号が電磁放射である請求項２０８の記憶媒体。
【請求項２１３】
記憶媒体が光ディスクである請求項２０８の記憶媒体。
【請求項２１４】
前記材料がシアニン染料である請求項２０８の記憶媒体。
【請求項２１５】
前記材料が入力信号を受信した後に、前記材料が第１の状態から第２の状態に変化を始めるまでの遅延時間を有する請求項２０８の記憶媒体。
【請求項２１６】
前記遅延時間は、前記構造体によってサポートされる前記データ過サンプリングを用いて読取るために必要な時間より少ない請求項２１５の記憶媒体。
【請求項２１７】
前記遅延時間は、前記構造体によってサポートされる前記データ過サンプリングを用いて読取るために必要な時間より大きい請求項２１５の記憶媒体。
【請求項２１８】
前記材料は、材料が前記第１の状態に変化する前に前記第２の状態のままである残光時間を有する請求項２０８の記憶媒体。
【請求項２１９】
前記材料は、前記構造体の複数の離散的な領域に配置される請求項２０８の記憶媒体。
【請求項２２０】
複数の離散的な領域のうちの少なくとも一つに配置された前記材料の前記遅延時間および残光がコードを表す請求項２１９の記憶媒体。
【請求項２２１】
前記コードが、前記構造体を認証するため、前記構造によってサポートされるデータを解読して、前記構造体からのデータ読みを修正して、前記構造体から複製されるデータのウォーターマークを提供する少なくとも一つに用いられることができる。請求項２２０の記憶媒体。
【請求項２２２】
前記材料は、グループ内の他の記憶媒体と比較してユニークな複数の離散的な領域に配置される請求項２１９の記憶媒体。
【請求項２２３】
前記材料は、前記構造体内の異なるローカスに異なる深さで配置される請求項２０８の記憶媒体。
【請求項２２４】
前記材料は、前記光学構造体によってサポートされたデータへの無許可のアクセスを予防するのに用いられる請求項２１０の記憶媒体。
【請求項２２５】
前記光学構造体は、自由にアクセスできるデータをサポートし、前記材料が検出される場合だけアクセスされることができるデータをサポートする請求項２２４の記憶媒体。
【請求項２２６】
第１の反応を使用することをさらに含む請求項１９２の方法。